(57)【要約】本発明は、デジタルデータ処理、とくに、情報プロンプトを実施するある種の半導体記憶方法に関し、この方法は、半導体記憶装置を設定し、その装置は半導体記憶媒体モジュールを使用して前記半導体記憶装置の制御装置モジュールおよびインターフェースモジュールを制御し、前記半導体記憶装置は情報プロンプトモジュールを備え、前記情報プロンプトモジュールは前記半導体記憶装置の外部からの情報とその装置に関する情報とを獲得し、前記情報プロンプトモジュールは獲得された情報のプロンプトを与えるステップを含んでいる。従来技術と比較したとき、本発明には、記憶されているデータの具体的な内容を知らなくてもよく、正当な所有者を識別することができ；種々のユーザの半導体記憶装置を混同せず；データ処理システムに接続されていなくても半導体記憶装置中に記憶されている情報を知ることができ、したがって複数の半導体記憶装置を所有するユーザに混同が生じないという利点がある。
2005531835.tif 000002
【特許請求の範囲】
【請求項１】
Ａ．半導体記憶媒体モジュール(3)を使用して半導体記憶装置の制御装置モジュール(1)およびインターフェースモジュール(2)を制御する半導体記憶装置を設定し、
Ｂ．半導体記憶装置内に情報プロンプトモジュール(5)を設け、
Ｃ．前記情報プロンプトモジュール(5)が半導体記憶装置の外部および、またはその装置自身から情報を獲得し、
Ｄ．前記情報プロンプトモジュール(5)が獲得された情報をプロンプトするステップを含んでいる情報プロンプト半導体記憶を実施する方法。
【請求項２】
情報プロンプトは、文字および、またはパターンを表示するために液晶ディスプレイ、発光ダイオードのアレイ、電界放射フラットディスプレイおよび、または有機エレクトロルミネセンス（ＯＥＬ）を使用し、および、またはスピーカ、ブザーおよび、または結晶音響発生器を音響プロンプトとして使用し、および、またはバイブレータを振動プロンプトとして使用することを特徴とする請求項１記載の方法。
【請求項３】
ステップＣまたはＤに記載されている情報は静的情報および、または動的情報であり、静的情報はユーザの情報、装置情報および記憶情報または前述の３種類の情報の１つを示していることを特徴とする請求項１記載の方法。
【請求項４】
静的情報は製造業者情報、ユーザの名前、ユーザのコード、ユーザのパスワード、製品タイプ、製品の製造番号、製品のバーコード、記憶内容の説明、半導体記憶装置の合計記憶容量、記憶媒体の数、各記憶媒体の記憶容量および、または記憶媒体の製造業者を示しており、動的情報は装置の読出し書込み状態、アクセスされたファイルのプロパティ、使用されたスペース、フリースペース、書込み保護状態、動作中のディスクの現在のプロパティ、温度、湿度、雑音指数、日付、時刻および、またはエアインデックスを示していることを特徴とする請求項３記載の方法。
【請求項５】
プロンプト情報記憶領域は半導体記憶装置内に設けられ、その記憶領域はプロンプト情報を記憶するために使用されることを特徴とする請求項１記載の方法。
【請求項６】
プロンプト情報記憶領域は半導体記憶媒体モジュール(3)、情報プロンプトモジュール(5)および、または制御装置モジュール(1)内に設けられることが可能であることを特徴とする請求項５記載の方法。
【請求項７】
文字および、またはパターンの表示は、動的および、または静的表示であることができることを特徴とする請求項２記載の方法。
【請求項８】
さらに、情報プロンプトを設定する手動制御コンポーネントを備えており、このコンポーネントは情報プロンプトの手動制御を行うために使用されることを特徴とする請求項１または２記載の方法。
【請求項９】
電源モジュール(4)は半導体記憶装置内に設けられ、この電源モジュール(4)は外部から、および、または自蔵電源から電力供給を獲得することを特徴とする請求項２記載の方法。
【請求項１０】
電源制御スイッチが自蔵電源内に設けられていることを特徴とする請求項９記載の方法。
【請求項１１】
自蔵電源は、ＰＶ電池、一次単電池および、または再充電可能な電池であることができることを特徴とする請求項９記載の方法。
【請求項１２】
電源モジュール(4)は、自蔵の再充電可能な電池を充電するために変換回路を備えていることを特徴とする請求項９記載の方法。
【請求項１３】
情報プロンプトモジュール(5)の情報内容および、または動作モードは、データ処理システムホスト中で実行するソフトウェアにより規定され、変更されることができることを特徴とする請求項１記載の方法。
【請求項１４】
記憶媒体によって使用される媒体は、フラッシュメモリ、ＤＲＡＭ、ＥＥＰＲＯＭ、ＳＲＡＭ、ＦＲＡＭ、ＭＲＡＭおよび、またはミリピード（Ｍｉｌｌｉｐｅｄｅ）であり、インターフェースモジュール(2)はＵＳＢインターフェース、ＩＥＥＥ１３９４インターフェース、ブルートゥースインターフェース、ＩｒＤＡ赤外線インターフェース、ホームＲＦインターフェース、ＩＥＥＥ８０２．１１ａインターフェース、ＩＥＥＥ８０２．１１ｂインターフェース、有線の広域／構内ネットワークインターフェースおよび、または無線の広域／構内ネットワークインターフェースであることを特徴とする請求項１記載の方法。
【請求項１５】
制御装置モジュール(1)と、この制御モジュール(1)とそれぞれ電気的に接続されたインターフェースモジュール(2)および半導体記憶媒体モジュール(3)とを備えており、情報プロンプトモジュール(5)は少なくとも表示コンポーネント、音響コンポーネントおよび、または振動コンポーネントの１つを備えており、各モジュールは個々に存在することができると共に１以上のモジュールに組合せられることも可能である情報プロンプトを実施する半導体記憶装置。
【請求項１６】
情報プロンプトモジュール(5)は制御モジュール(51)およびプロンプトモジュール(52)を備えており、制御モジュール(51)はプロンプトモジュール(52)の動作を制御し、あるいは情報プロンプトモジュール(5)はプロンプトモジュール(52)だけを含んでいることを特徴とする請求項１５記載の半導体記憶装置。
【請求項１７】
情報プロンプトモジュール(5)は制御装置モジュール(1)、インターフェースモジュール(2)および、または半導体記憶媒体モジュール(3)と電気的に接続されていることを特徴とする請求項１５記載の半導体記憶装置。
【請求項１８】
表示コンポーネントは液晶ディスプレイ、発光ダイオードマトリックスディスプレイ、電界放射ディスプレイおよび、または有機エレクトロルミネセンス（ＯＥＬ）ディスプレイであり、音響発生コンポーネントはスピーカ、ブザーおよび、または結晶音響発生器であることを特徴とする請求項１５記載の半導体記憶装置。
【請求項１９】
さらに電源モジュール(4)を備えており、この電源モジュール(4)は電圧アダプタ回路および、または自蔵電源を備えていることを特徴とする請求項１５記載の半導体記憶装置。
【請求項２０】
電源制御スイッチは自蔵電源内に設けられていることを特徴とする請求項１９記載の半導体記憶装置。
【請求項２１】
自蔵電源は、ＰＶ電池、一次単電池および、または再充電可能な電池であることができることを特徴とする請求項１９記載の半導体記憶装置。
【請求項２２】
電源モジュール(4)は、自蔵の再充電可能な電池を充電するために変換回路を備えていることを特徴とする請求項１９記載の半導体記憶装置。
【請求項２３】
さらに、情報プロンプトを設定する手動制御コンポーネントを備えており、このコンポーネントは情報プロンプトの手動制御を行うために使用されることを特徴とする請求項１５記載の半導体記憶装置。
【請求項２４】
さらに、少なくともバッテリ電池であって、ハウジング(20)上に適合したキャップ(30)内に含まれているバッテリモジュール(44)を備えていることを特徴とする請求項１５記載の半導体記憶装置。
【請求項２５】
バッテリ電池(45)はそのサイドインレット(31)からキャップ(30)中に配置され、このインレット(31)をカバーして保護するサイドカバーボード(32)を備えており、ハウジング(20)の１端部はＵＳＢまたはＩＥＥＥ１３９４インターフェース(23)を備え、キャップ(30)の１端部は前記インターフェース(23)と接続されたインターフェース(33)を備え、スイッチ(50)は電源をオフまたはオンに切替えるようにバッテリ電池(45)からインターフェース(33)までの回路と直列に接続されていることを特徴とする請求項２４記載の半導体記憶装置。
【発明の詳細な説明】
【技術分野】
【０００１】
本発明はデジタルデータ処理に関し、とくに、情報プロンプト半導体記憶を実施する方法およびその装置に関する。
【背景技術】
【０００２】
コンピュータ技術の急速な発達により、データ記憶およびその装置、とくに、取外し可能な記憶装置に対する必要性が著しく高まってきた。フロッピー（Ｒ）ディスクのような従来の取外し可能な記憶装置は、それらの容量が小さく、速度が遅く、ドライバが必要であり、損傷を受け易く、信頼性が低い等のために徐々に消去されている。半導体記憶テクノロジーの発達により、取外し可能なデータ記憶装置の分野の新しい時代がスタートした。中国特許第ZL99117225.6号明細書（ “A flash electronically external storage method for the data processing system and an apparatus thereof”）には、フラッシュメモリを記憶媒体として使用する外部装置が開示されている。この特許権を与えられたテクノロジーに基づいた半導体の取外し可能な記憶装置は、その小型サイズ、大きい容量、高速アクセス、可搬性、性能の安定性、耐久性、ドライバが不要であること、瞬間プラグアンドプレイ、およびコンピュータ中において記憶装置として使用される便利さのためにユーザによって広く受容れられ、その使用は益々広くなってきている。しかしながら、半導体の取外し可能な記憶装置は広く使用され、それによって徐々にフロッピー（Ｒ）ディスクに取って代わってきているが、このような装置にはいくつかの欠点がある：（１）それは法律上正当な所有者の識別または認証をすることができず、したがってその半導体記憶装置がほとんど同じであって、その外観が同じまたは類似しているときには、その製品の正当な所有者を識別することが困難である。時として、法的に正当な所有者は、その記憶データ内容が明かされるまで識別されることができない。法的に正当な所有者の情報およびその他の事項は、タグまたは半導体の取外し可能な記憶装置のケース上に貼られたサインによって示されることが可能であるが、そのタグまたはサインは損傷を受ける可能性があり、それはまた装置の外観に影響を与える。作業グループの中において、このような同一のまたは類似したプロフィールは互いに装置の誤使用、損傷または損失を招き易い。そのために、作業効率が低下するだけでなく、おそらく技術上のノーハウ、取引上の機密、許可および責任の適用範囲、個人の秘密またはその他の情報の漏洩のような取り返しのつかない損失を発生させる。（２）使用において、半導体記憶装置の読出しおよび、または書込みの状態がはっきりしない。現在の半導体記憶装置の動作状態は、一般に、典型的にＬＥＤである指示装置によって示される。このような指示装置は、半導体記憶装置の動作状態をおおまかに示すことしかできない。たとえば、データが読出され、あるいは書込まれているときに、ＬＥＤが明滅する。しかしながら、その半導体記憶装置がデータを読出しているのか、あるいは書込んでいるのかは、ユーザには分からない。このようなデータの読出し・書込み表示の応答は著しい遅延を生じさせる。（３）半導体記憶装置中の情報を瞬時に知ることができず、また、装置がデータ処理システムと接続された後でホストの動作によってしかこれを知ることができない。これは、各半導体記憶装置が互いに弁別不可能であるため、複数の半導体記憶装置を所有するユーザにとって非常に不便であり、時には混乱を招くこともある。
【発明の開示】
【発明が解決しようとする課題】
【０００３】
本発明の目的は、上述した従来技術の欠点を克服するために半導体記憶装置内で情報プロンプトを実施する方法およびその装置を提供することである。
【課題を解決するための手段】
【０００４】
本発明の目的は、
Ａ．半導体記憶媒体モジュールを使用してこの半導体記憶装置の制御装置モジュールおよびインターフェースモジュールを制御する半導体記憶装置を設定し、
Ｂ．半導体記憶装置内に情報プロンプトモジュールを設け、
Ｃ．前記情報プロンプトモジュールが半導体記憶装置の外部および、またはその装置自身から情報を獲得し、
Ｄ．前記情報プロンプトモジュールが獲得された情報をプロンプトするステップを含んでいる技術的解決方法によって半導体記憶装置内で情報プロンプトを実行する方法を提供することにより達成される。
【０００５】
本発明の目的はまた、制御装置モジュールとこの制御装置モジュールに電気的にそれぞれ接続されたインターフェースモジュールおよび半導体記憶媒体モジュールに加えて情報プロンプトモジュールを備えている情報プロンプトを実施する半導体記憶装置を提供して使用する技術的解決方法によって達成されることができる。情報プロンプトモジュールは表示コンポーネント、音響発生コンポーネントおよび、または振動コンポーネントを備えている。上述した各モジュールは個々に存在することもできるし、あるいは１以上のモジュールに組合せられることもできる。半導体装置は取外し可能であり、固定され、あるいは任意の他の状態であることができる。
【０００６】
従来技術に比較すると、本発明による情報プロンプトを実施する半導体記憶装置には以下の利点がある。記憶されているデータの実際の内容を知ることなく、法律上正当な所有者が識別されることが可能であり、また種々の異なるユーザの半導体記憶装置において混同が生じない。半導体記憶装置の中の情報は、データ処理システムと接続されていなくても容易に知られることが可能であり、その結果、複数の半導体記憶装置を所有するユーザが混同されることがなく、読出しおよび、または書込み状態が明白に示されることが可能である。
【発明を実施するための最良の形態】
【０００７】
以下、添付図面を参照して好ましい実施形態をさらに詳細に説明する。  
図１に示されているように、半導体記憶装置内で情報プロンプトを実施する方法は、
Ａ．半導体記憶媒体モジュール3を使用してこの半導体記憶装置の制御装置モジュール1およびインターフェースモジュール2を制御する半導体記憶装置を設定し、
Ｂ．半導体記憶装置内に情報プロンプトモジュール5を設け、
Ｃ．前記情報プロンプトモジュール5が半導体記憶装置の外部および、またはその装置自身から情報を獲得し、
Ｄ．前記情報プロンプトモジュール5が獲得された情報をプロンプトするステップを含んでいる。
【０００８】
この明細書における“獲得”とは、データ処理システムまたは半導体記憶装置自身から能動的または受動的に情報を得ることである。
【０００９】
本発明の半導体記憶媒体モジュールにおいて使用される半導体記憶媒体には、フラッシュメモリ、ＤＲＡＭ、ＥＥＰＲＯＭ、ＳＲＡＭ、ＦＲＡＭ、ＭＲＡＭまたはミリピード（Ｍｉｌｌｉｐｅｄｅ）が含まれるが、それに限定されず、また、それは１以上の半導体チップを使用することが可能である。ミリピードは、ＩＢＭの研究員によって発表された最新の科学技術開発製品、すなわち、超高密度記憶テクノロジーであり、それは初期コンピュータのパンチカードに類似している。この新しいテクノロジーはＩＢＭのチューリッヒリサーチラボラトリで働いている２人の科学者により開発され、ミリピードと命名された。この記憶リサーチプロジェクトおよび記憶テクノロジーのコンセプトのリーダーであるPeter Vettiger氏によると、この考えは、会社の週１回のフットボールゲームの後、ビールを飲んでいるときに思いついたものであるという。実験室のミリピードのプロトタイプは、現在のコンピュータのテープ記憶媒体のものの２０倍のデータを記憶することが可能であり、それは、１枚の切手大のスペース中において約２５００万ページの文章のデータである。Vettiger氏は、この記憶カードが２００５年より以前にラップトップコンピュータおよび移動電話機におけるフラッシュメモリカードの代りに使用され始めるだろうと予測した。ＩＢＭは、ミリピード装置が１平方インチに１００万または１兆の情報を記憶することができると述べている。この新しい装置は再書込み可能であるため、それは従来のパンチカードとは異なっている。このことは、それのデータを削除して再度書込むことを繰返すことが可能であることを意味している。Vettiger氏は、少なくとも何百から何千回の再書込みがテストされたと述べている。
【００１０】
インターフェースモジュール2は、主にデータ処理システムと接続するために使用されているＵＳＢインターフェースのような有線ユニバーサルインターフェースまたは無線ユニバーサルインターフェースであることのできるユニバーサルインターフェース、ＩＥＥＥ１３９４インターフェース、ブルートゥースインターフェース、ＩｒＤＡ赤外線インターフェース、ホームＲＦインターフェース、ＩＥＥＥ８０２．１１ａまたはＩＥＥＥ８０２．１１ｂインターフェース、広域／構内有線ネットワークインターフェースおよび、または広域／構内無線ネットワークインターフェース等でよい。
【００１１】
情報プロンプト表示には、文字および、またはパターンを表示するための液晶ディスプレイ（ＬＣＤ）、発光ダイオードマトリックス（ＬＥＤマトリックス）、電界放射ディスプレイ（ＦＥＤ）および、または有機エレクトロルミネセンス（ＯＥＬ）、および、または音響プロンプトとしてのスピーカ、ブザーおよび、または結晶音響発生器および、または振動プロンプトのバイブレータが含まれるが、それらに限定されない。情報には、ユーザの情報、装置情報および記憶内容情報または前述の３種類の情報の一部を示す静的情報および、または動的情報が含まれるが、それらに限定されない。静的情報はさらに、製造業者情報、ユーザの名前、ユーザのコード、ユーザのパスワード、製品のタイプ、製品の製造番号、製品のバーコード、記憶内容の説明、半導体記憶装置の合計記憶容量、記憶媒体の数、各記憶媒体の記憶容量および、または記憶媒体の製造業者等として分類される。動的情報は、装置の読出しおよび書込み状態、書込み保護の状態情報、記憶ディスクのプロパティ、アクセスされたファイルのプロパティ、使用スペース、フリースペース、温度、湿度、雑音指数、日付、時刻および、またはエアのインデックス等を示している。文字および、またはパターンを表示する手段は、静的ディスプレイおよび、または動的ディスプレイ等であることが可能である。本発明はまた、情報プロンプトの手動制御を行うための手動制御コンポーネントを備えている。
【００１２】
半導体記憶装置は、プロンプト情報を記憶するためのプロンプト情報記憶領域を備えている。このプロンプト情報記憶領域は半導体媒体モジュール3、情報プロンプトモジュール5および、または制御装置モジュール1内に設けられることができる。プロンプト情報記憶領域は、アクセスされるか、あるいは書込みに対して保護されることができる。プロンプト情報記憶領域は、この領域中に記憶されたデータを暗号化すると共にこのプロンプト情報記憶領域から読出されたデータを解読するための独立したあるいはユニバーサルな暗号化／解読モジュールを備えている。この独立したあるいはユニバーサルな暗号化／解読モジュールはマスキングの機能を有することが可能であり、あるいは不可能である。本発明は、“ハード”保護および、または“ソフト”保護によって行われることのできる書込み保護の機能を備えることが可能である。ハード保護は切替装置等により実現されることが可能であり、ソフト保護は半導体装置のファームウェアおよび、またはドライバにより行われることが可能である。図２は、プロンプト情報記憶領域の記憶領域分布図である。プロンプト情報記憶領域は完全に半導体記憶媒体モジュール3内に存在することが可能であり、一方データ（別のデータ記憶領域中の）および記憶ディスクのプロンプト情報は半導体記憶媒体の記憶領域を共用する。
【００１３】
図１および３に示されているように、電源モジュール4は半導体記憶装置内に設けられる。電源モジュール4は外部および、または自蔵電源から電力を獲得し、それが自蔵電源を有しているときには電力制御スイッチを備えている。自蔵電源はＰＶ電池、一次単電池および、または再充電可能な電池である。電源モジュール4は、自蔵の再充電可能な電池を充電するための変換回路を備えていることができる。情報プロンプトモジュール5のプロンプト情報内容および動作モードは、データ処理システムホスト中で実行するソフトウェアにより定義され、変更されることができる。
【００１４】
データ処理システムホスト中で実行するソフトウェアは、
（１）データを記憶するために半導体記憶媒体の専用情報領域から読出された識別情報とユーザ識別情報とを比較し、その比較結果を戻し、それらが一致している場合にはそのユーザはその装置を使用する許可を有することになり、そうでない場合にはそのユーザは拒否されることになり、したがってモジュールがその識別されたユーザのユーザ識別情報の変更をサポートすることができ、変更されたユーザの識別情報は半導体媒体記憶装置中に書込まれる、ユーザ識別モジュールと、
（２）識別されるユーザによるユーザの識別の設定プロセスのリリースをサポートし、ユーザによる情報プロンプトのモジュールの動作モードの定義および変更およびファイル情報の定義および変更等をサポートする、プロンプト情報記憶領域を設定するプログラムと、
（３）半導体記憶媒体の専用情報領域に記憶されるべきデータを暗号化すると共に半導体記憶媒体の専用情報領域から読出されたデータを解読する暗号化/解読モジュールと、
（４）ユニバーサルインターフェースにより選択されたプロトコルでホストシステムを半導体記憶装置と接続し、演算コマンドおよびデータを処理システムから受信して、それらをユニバーサルインターフェースを通って半導体記憶媒体装置に送信すると共に、半導体記憶媒体装置から戻されたデータおよび静的情報をユニバーサルインターフェースから受信して、それらをファイル処理システムに送信する装置ドライバモジュールとを備えている。
【００１５】
図１に示されている情報プロンプトを実施する半導体記憶装置は、制御装置モジュール1とこのモジュール1に電気的にそれぞれ接続されたインターフェースモジュール2および半導体記憶媒体モジュール3に加えて情報プロンプトモジュール5を備えている。情報プロンプトモジュール5は少なくとも、表示コンポーネント、音響コンポーネントおよび、または振動コンポーネントを備えている。各モジュールは個々に存在することもできるし、あるいは１以上のモジュールに組合せられることもできる。図６および７に示されているように、本発明の装置はさらに、情報プロンプトの手動制御を行うように情報プロンプトを設定する手動制御コンポーネント53を備えている。この手動制御コンポーネント53にはボタンが含まれるが、これに限定されない。
【００１６】
図６に示されているように、情報プロンプトモジュール5は制御モジュール51およびプロンプトモジュール52を備えており、制御モジュール51はプロンプトモジュール52の動作を制御し、あるいは情報プロンプトモジュール5はプロンプトモジュール52だけを含んでいる。情報プロンプトモジュール5は制御装置モジュール1、インターフェースモジュール2および、または半導体記憶媒体モジュール3を電気的に接続している。表示コンポーネントには、液晶ディスプレイ（ＬＣＤ）、発光ダイオードマトリックス（ＬＥＤマトリックス）、電界放射ディスプレイ（ＦＥＤ）および、または有機エレクトロルミネセンス（ＯＥＬ）ディスプレイが含まれるが、それらに限定されない。また、音響コンポーネントには、スピーカ、ブザーおよび、または結晶音響発生器が含まれるが、それらに限定されない。
【００１７】
本発明の装置はさらに電源モジュール4を備え、この電源モジュール4は電圧アダプタ回路および、または自蔵電源を備えている。それは、それが自蔵電源を備えているときに電源制御スイッチを設けられる。自蔵電源にはＰＶ電池、一次単電池および、または再充電可能な電池が含まれるが、それらに限定されない。電源モジュール4は自蔵の再充電可能な電池を充電するために変換回路を備えることができる。
【００１８】
図１４に示されているように、本発明の装置はさらに、少なくともバッテリ電池45であり、ハウジング20上にキャップ30内に含まれているバッテリモジュール44を備えている。バッテリ電池45はそのサイドインレット31からキャップ30中に配置され、このインレット31をカバーして保護するサイドカバーボード32を備えている。ハウジング20の１端部はＵＳＢまたはＩＥＥＥ１３９４インターフェース23を備え、キャップ30の１端部はインターフェース23と接続されるインターフェース33を備えている。スイッチ50は、電源をオフまたはオンに切替えるようにバッテリ電池45からインターフェース33までの回路と直列に接続されている。バッテリモジュール44は電源モジュール4の一部であることができる。キャップ30がカバーされた後、キャップ30の中のバッテリ電池は電力を半導体記憶装置に供給する。
【００１９】
図３に示されているように、電源モジュール4は電力変換装置41、ユニバーサル給電モジュール42、電源切替装置43、バッテリ電源装置44および電源状態指示装置45を備えている。電源は、データ処理システムのユニバーサルインターフェース回路から供給されるだけでなく、バッテリ電源からもまた供給されることができる。半導体記憶装置がデータ処理システムと接続されたとき、データ処理システムのユニバーサルインターフェース電源はユニバーサルインターフェース2および電力変換装置41を通って電力を半導体記憶装置に供給し、半導体記憶装置の電源制御モジュール4はユニバーサルインターフェース給電モードに自動的に切替わる。この半導体記憶装置内のマイクロプロセッサはドライバと協同してこの装置を初期化すると同時に、情報プロンプトを行う。装置がデータ処理システムと接続されていないとき、ユーザは電力切替装置43を使用して電力変換により、あるいは電力変換によらずにバッテリ電源供給を行い、本発明の情報プロンプトの機能を実施するように情報プロンプトモジュールを動作させることができる。電力切替装置43はスイッチ50と組合せられることが可能である。バッテリ制御モジュール内の電力切替装置43、バッテリ状態指示装置またはバッテリソース装置はなくてもよい。
【００２０】
情報プロンプトモジュール5の情報内容および、または動作モードは、データ処理システムホスト中で実行するソフトウェアにより定義され、変更されることが可能であり、たとえば、ユーザの名前、ユーザのコード、ユーザのパスワード、製品タイプ、製品の製造番号、製品のバーコード、記憶内容の説明、装置の情報の説明、およびユーザにより定義されたその他の個人情報の定義または変更が可能であり、また、情報プロンプトが表示すべき全てのもの、プロンプト情報を表示する順序、表示モード、表示フォーマット等を定義または変更するために使用されることができる。定義または変更された情報は、半導体記憶装置の情報プロンプト記憶領域中に書込まれる。図４−１または４−２には、ソフトウェアのフローチャートが示されている。
【００２１】
図８に示されているように、制御装置モジュール1は、ＵＳＢインターフェースを制御することのできるマイクロプロセッサである専用プロセッサチップＵ３を使用する。この図面において、ＸＴ１は８ＭＨｚの結晶発振器である。ファームウェアは制御装置モジュール1内に、とくに、プロセッサチップＵ３内に設けられている。その主要な機能は、半導体記憶装置の装置制御、データアクセス、インターフェース制御および情報プロンプト等を行うことである。ファームウェアは、情報プロンプト制御プログラムを備えている。このプログラムおよび情報プロンプトモジュール5の中の情報プロンプト制御モジュール51は、情報プロンプトモジュール5によってプロンプトされる情報内容、プロンプトモード等を検出し、読出し、書込みおよび制御を行うと共に、この情報プロンプトモジュール5の情報をデータ処理システムにフィードバックするために使用される。情報プロンプトモジュール5の中の情報プロンプト制御モジュール51と制御装置モジュール1は独立したものであってもよいし、あるいは結合されてもよい。
【００２２】
図５−１はパスワード保護の機能を有するファームウェアのフローチャートであり、図５−２はパスワード保護の機能を有しないファームウェアのフローチャートである。
【００２３】
図１２に示されているように、電源モジュール4はデータ処理システムのＵＳＢによって供給される直流５ＶのＵＳＢＶＣＣだけでなく、バッテリ電源44によって供給される直流ＰＯＷＥＲ-５Ｖもまた備えている。データ処理システムと接続されたとき、ホスト電源ＵＳＢＶＣＣは、ＵＳＢインターフェース電源に切替えるＲ３４、Ｄ１、Ｑ１、Ｒ３５、ＡＡＴ４２５０から成る電源自動切替回路を通って電力を半導体記憶装置に供給する。半導体記憶装置がデータ処理システムとの接続を遮断され、電源切替装置43のキー（ＫＥＹ）がオンにされたとき、バッテリ電源ＰＯＷＥＲ ５Ｖは、バッテリ電源に切替える上記の素子から成る電源自動切替回路を通って電力を半導体記憶装置に供給する。上記の２つのモードによって供給された直流の５Ｖ電源は、チップＵ４および並列接続されたキャパシタＣ１１、Ｃ１２、Ｃ１３、Ｃ１４を通って３．３Ｖ電源に変換される。バッテリ電源44が定格電圧より低いことが電源モジュール4の電圧検出回路により検出されたとき、電源4におけるＣ１７、Ｃ１８、Ｒ３８、ＬＴＣ１７３４、Ｑ２から成る充電回路は半導体記憶装置がデータ処理システムと接続された後にバッテリ電源44を自動的に充電し、それによってバッテリ電源の給電モード下におけるバッテリ電源44の正常な電力供給を確保する。
【００２４】
液晶ディスプレイコンポーネント54は、図１３に示されている１２８×３２ドットマトリックス文字タイプ液晶ディスプレイを使用する。この液晶ディスプレイコンポーネントは液晶モジュール（ＬＣＭ）および液晶制御モジュール（ＭＰＵ）を含んでいる。液晶制御モジュール（ＭＰＵ）は制御信号をマクロプロセッサＵ３から受取り、制御信号にしたがって表示するように液晶モジュール（ＬＣＭ）の情報を制御する。図１３は液晶ディスプレイ（ＬＣＤ）と制御装置1との間の接続回路の概略回路図であり、ＬＤＢ０乃至ＬＤＢ７はデータ伝送を行い、図８中のマイクロプロセッサＵ３の対応したＬＤＢ０乃至ＬＤＢ７と接続される。ＬＣＳポートは、ＬＣＤに対して選択された信号をマクロプロセッサＵ３から受取ると共にそのＬＣＤをレディ状態にするためにＵ３のＬＣＳと接続する。一方、リセットポートとしてのＲＥＳＴ、読出し・書込み信号ポートとしてのＬＲ／Ｗ、データコマンド選択ポートとしてのＬＤ／Ｉ、エネーブル動作ポートとしてのＬＥは、図８中のマイクロプロセッサＵ３の対応したＲＥＳＴ、ＬＲ／Ｗ、ＬＤ／Ｉ、ＬＥポートとそれぞれ接続する。マイクロプロセッサＵ３は、液晶ディスプレイの情報表示と、この表示された情報からのフィードバック情報を制御する。液晶ディスプレイスクリーンのタイプは文字タイプ、グラフィックタイプ、カストマイズされたタイプまたは任意の他のタイプであることができる。液晶のタイプは、文字タイプ液晶またはドットマトリックス液晶であることができる。
【００２５】
半導体記憶措置がデータ処理システムと接続されておらず、バッテリ電源切替装置43がオンに切替えられたとき、半導体記憶装置はバッテリ電源によって駆動され、制御装置モジュール1は初期化される。すなわち、制御装置モジュール1はマイクロプロセッサチップＵ３中のファームウェアを動作させる。ファームウェアは記憶媒体モジュール3のキャパシタ、フリースペース、および装置情報、ユーザの情報（ユーザの名前、コード等）を含む他の情報、情報プロンプト記憶領域31の記憶されている情報内容、日付および時刻等を検出して獲得し、上述した情報を特殊制御コマンドに変換し、それを液晶ディスプレイ（ＬＣＤ）モジュールに送信する。液晶モジュールは上述の情報を表示する。上述の情報は、液晶モジュール（ＬＣＭ）52のサイズの制限のために一度に全ては表示されることはできず、したがって動的表示が設定されることが可能であり、あるいは半導体記憶装置の手動制御コンポーネント53（たとえば、ボタン、スイッチ等）により手動制御表示が行われる。その後、ユーザまたはプロセッサは半導体記憶装置の上述した情報をはっきりと知ることができる。もちろん、ユーザもまたバッテリ電源切替装置43を切って電源をオフに切替えると共にディスプレイをオフにし、バッテリ電源を節約することができる。
【００２６】
半導体記憶装置がＵＳＢインターフェースによってコンピュータのようなデータ処理システムと接続されているとき、固定された、あるいは取外し可能な記憶ディスクがデータ処理システムホスト内に発生し、ハードディスクまたはフロッピー（Ｒ）ディスクとして使用されることができる。
【００２７】
半導体記憶装置がホストのＵＳＢインターフェースと接続されているとき、制御装置モジュール1のプロセッサチップＵ３のファームウェアは活動化され、初期化される。上述した情報は規定され、液晶モジュール（ＬＣＭ）52上に表示され、必要ならば、データの読出し書込み状態情報（たとえば、ここでは読出し書込み状態情報は“アイドル”または“待機中”である）がその上に表示される。さらに、制御装置モジュール1は初期化された情報および半導体記憶装置のドライバをＵＳＢインターフェースによってホスト動作システムにフィードバックし、この動作システムは種々のフィードバック情報またはプロパティ状態にしたがって対応した動作を行う。
【００２８】
ファームウェアの初期化後、それは最初に半導体記憶媒体モジュールの記憶媒体チップの製造業者および製品タイプ情報を検出し、記憶ディスクの合計容量を計算し、その後記憶ディスク中のＦＡＴテーブルを読出し、使用されたスペースおよびフリースペースを計算し、製造業者情報、ユーザの名前、ユーザのコード、ユーザのパスワード、製品のタイプ、製品の製造番号、製品のバーコード、記憶内容の説明等を含む（それに限定されない）プロンプト情報記憶領域内の内容を読出す。その後、獲得された情報は、予め定められたフォーマットにしたがって液晶モジュール上に表示される。上述したステップの後、制御装置モジュール1内のファームウェアはすぐに待機状態に入って、ホストからの動作リクエストを待つ。
【００２９】
データ処理システムはユニバーサルインターフェースの動作リクエストをドライバによって記憶装置に送信し、装置内のファームウェアはユニバーサルインターフェースの受信された標準的な動作リクエストを処理し、その結果または状態情報をデータ処理システムに戻す。このようにして、情報交換路がデータ処理システムと装置との間に確立される。
【００３０】
ホスト動作システムは、それがデータに対する読出し動作をリクエストするときに動作コマンドをドライバに送信し、そのドライバはＵＳＢを介して読出し動作コマンドをパッケージ化し、動作システムによってそれを制御装置モジュール1内のファームウェアに送信する。ファームウェアは読出し動作を行う。すなわち、ファームウェアは読出しコマンド内の論理アドレスを半導体記憶媒体モジュール3内の物理アドレスに変換し、この物理アドレスにしたがって半導体記憶媒体からデータを読出し、それをデータ処理システムに戻す。同時に、それはＬＥＤ指示ランプおよび、必要ならば、液晶モジュール52を使用して読出し動作状態の情報プロンプトを同時に実施して、読出し動作を終了させる。
【００３１】
ホスト動作システムは、それがデータに対する書込み動作をリクエストするときに書込み動作コマンドをドライバに送信し、ドライバはＵＳＢを介して書込み動作コマンドをパッケージ化し、動作システムによってそれを制御装置モジュール1内のファームウェアに送信する。ファームウェアは読出し動作を行う。すなわち、ファームウェアは書込みコマンド内の論理アドレスを半導体記憶媒体モジュール3内の物理アドレスに変換し、データ処理システムからデータを受信し、この物理アドレスにしたがって半導体記憶媒体中にデータを書込み、ドライバはその書込み動作の動作状態情報を動作システムに戻し、ＬＥＤ指示ランプおよび、必要ならば、液晶モジュール52を使用して書込み動作状態の情報プロンプトを同時に実行して、書込み動作を終了させる。
【００３２】
ファームウェアはまた、プロンプト情報記憶領域のパスワード検証に対するコマンドリクエストをサポートする。ファームウェアは、ホストが検証されるようにユニバーサルインターフェースからリクエストしたパスワードを受信し、このパスワードをプロンプト情報記憶領域から読出し、その後それらを比較する。それらが同じならば、パスワード検証に合格し、そうでない場合には失敗である。その後、ファームウェアは検証された結果をユニバーサルインターフェースによってデータ処理システムに戻す。
【００３３】
ファームウェアはまた、プロンプト情報記憶領域のパスワード設定に対するコマンドリクエストをサポートする。ファームウェアは、ホストが設定されるようにユニバーサルインターフェースからリクエストしたパスワードを受信し、そのパスワード検証に合格するか否かを決定する。合格した場合には、新しいパスワードがプロンプト情報記憶領域中に書込まれる。そうでない場合には、その変更は拒否される。その後、ファームウェアは変更された結果をユニバーサルインターフェースによってデータ処理システムに戻す。
【００３４】
ファームウェアはまた、プロンプト情報記憶領域への書込みに対するコマンドリクエストをサポートし、ファームウェアは、ホストがプロンプト情報記憶領域中に書込まれるようにリクエストした情報を受信し、その後パスワード検証に合格するか否かを決定する。合格した場合には、新しい情報がプロンプト情報記憶領域中に書込まれる。そうでない場合には、書込みは拒否される。その後、ファームウェアはその結果をユニバーサルインターフェースによってデータ処理システムに戻す。
【００３５】
ファームウェアはまた、プロンプト情報記憶領域からの読出しに対するコマンドリクエストをサポートし、ファームウェアはパスワード検証に合格するか否かを決定する。合格した場合、それは新しい情報をプロンプト情報記憶領域から読出し、その後それをホストに送信する。そうでない場合、読出しは拒否される。その後、ファームウェアはその結果をユニバーサルインターフェースによってデータ処理システムに戻す。
【００３６】
ファームウェアは、ボタン情報を手動制御コンポーネントから受信することができる。異なったページのプロンプト情報が異なったボタンの情報にしたがってＬＣＤコンポーネント上に表示される。ボタンは電源スイッチと組合せられることができる。
【００３７】
図４−１に示されているように、本発明のＬＣＤ上に表示される内容は、データ処理システム内にプロンプト情報記憶領域を設定するソフトウェアにより規定され、変更されることができる。プロンプト情報記憶領域はパスワードにより保護されることができる。パスワードにより保護されているとき、プロンプト情報記憶領域の内容は、設定または変更される前に検証される必要がある。半導体記憶装置がデータ処理システムと接続されており、ユーザが正当性検査に合格したとき、そのユーザはデータ処理システム内の情報プロンプト設定によりソフトウェアを制御して、製造業者情報、ユーザの名前、ユーザのコード、ユーザのパスワード、製品のタイプ、製品の製造番号、製品のバーコード、装置の記憶内容の説明、および液晶ディスプレイ装置の表示モード、表示言語、動作モード等を読出して変更することができる。規定または変更された情報は、データ処理システムによりＵＳＢインターフェースを通って制御装置モジュール1のファームウェアに送信される。ファームウェアは、情報プロンプト記憶領域が検証されることを必要とするパスワードをホストから受信し、元のパスワードを半導体記憶媒体から読出す。正当性検査に合格した場合には、規定または変更されたプロンプト情報がデータ処理システムから受信され、データ書込み動作が行われる。新しいプロンプト情報はプロンプト情報記憶領域中に書込まれ、その期間中に制御装置モジュール1のファームウェアは表示されている情報を更新するように情報プロンプトモジュール5に通知し、データ更新動作のパフォーマンス状況および、または表示されたプロンプト情報をデータ処理システムに戻す。
【００３８】
図４−１には、プロンプト情報記憶領域を設定するためのソフトウェアのフローチャートが示されている。このソフトウェアは最初にユーザによって入力されたパスワードを受信し、そのパスワードおよびパスワード検証リクエストを記憶装置に送信し、その後パスワード検証の結果を読出す。この検証が何回か失敗した場合には、そのプログラムは終了する。検証に合格した場合には、プロンプト情報記憶領域の内容が読出され、変更され、パスワードにより設定されることができる。プロンプト情報記憶領域の内容が読出されたとき、プログラムは、プロンプト情報記憶領域の内容を読出すことに対するリクエストコマンドを記憶装置に送信し、その後装置から戻された情報を受信して処理し、その読出された内容をスクリーン上に表示する。プロンプト情報記憶領域の内容が変更されるとき、プログラムは、設定または変更される必要のあるユーザにより入力された新しいプロンプト情報内容を受信し、プロンプト情報書込みリクエストおよび記憶装置に書込まれる新しい情報プロンプトを送信し、その装置によって処理された結果を獲得し、この結果をスクリーン上に表示する。プロンプト情報記憶領域のパスワードが設定されたとき、プログラムはユーザにより入力された新しいパスワードを受信し、パスワード設定リクエストおよび装置に設定される新しいパスワードを送信し、その装置によって処理された結果を獲得し、この結果をスクリーン上に表示する。
【００３９】
図４−２に示されているように、本発明の液晶ディスプレイによって表示された内容は、データ処理システム中で動作するプロンプト情報記憶領域を設定するソフトウェアにより規定され、変更されることができる。パスワード保護がなされていない場合には、ユーザはデータ処理システム中にプロンプト情報記憶領域を設定するソフトウェアを制御して、製造業者情報、ユーザの名前、ユーザのコード、製品のタイプ、製品の製造番号、製品のバーコード、装置の記憶内容の説明、および液晶ディスプレイ装置の表示モード、表示言語、動作モード等を読出して変更することができる。規定または変更された情報は、データ処理システムによりＵＳＢインターフェースを通って制御装置モジュール1のファームウェアに送信される。このファームウェアは、この規定または変更された情報プロンプトをデータ処理システムから受信して、新しいプロンプト情報をプロンプト情報記憶領域中に書込むためにデータを書込み、その期間中に制御装置モジュール1のファームウェアは表示されている情報を更新するように情報プロンプトモジュール5に通知し、データ更新のパフォーマンス状況および、または表示されたプロンプト情報をデータ処理システムに戻す。
【００４０】
図４−２には、プロンプト情報記憶領域を設定するためのソフトウェアのフローチャートが示されている。プロンプト情報記憶領域の内容を読出しているとき、プログラムは、プロンプト情報記憶領域の内容を読出すリクエストコマンドを記憶装置に送信し、その後装置から戻された情報を受信して処理し、読出された内容をスクリーン上に表示する。プロンプト情報記憶領域の内容が変更されたとき、プログラムは、設定または変更される必要のあるユーザにより入力された新しいプロンプト情報を受信し、そのプロンプト情報に対する書込みリクエストおよび書込まれるべき新しいプロンプト情報を記憶装置に送信し、その装置によって処理された結果を獲得し、この結果をスクリーン上に表示する。
【００４１】
プロンプト情報領域中に記憶されている内容は、文字情報および、またはパターン情報であってもよい。プログラムはまた文字情報をパターン情報に変換してそれをプロンプト情報記憶領域中に記憶することが可能である。
【００４２】
本発明の最も好ましい実施形態は、ＵＳＢを備えたマイクロプロセッサ、自己制御の機能を備えたＬＣＤモジュール、フラッシュメモリおよびＵＳＢインターフェースを使用している。さらに、ＬＣＤモジュールは自己制御の機能を備えている必要はなく、それはマイクロプロセッサによって制御される。本発明はＬＣＤ表示モジュールを設定するのに加えて、ＬＥＤの動作状態を設定することができる。
【００４３】
本発明はさらに、ユーザが記憶装置とデータ処理システムホストとの間の接続を遮断したときでさえ、あるいはデータが記憶装置中に書込まれている最中に突然電力が失われたり、もしくはコンピュータの動作停止が発生したときでさえ、記憶装置中に記憶されているデータが損傷を免れることができ、書込まれているデータの損傷を最小限にすることができるように、データ保護およびデータ検索機能を有するように設計されている。上記の機能を実現する方法は以下のように行われることができる。１．最初に、データがフラッシュメモリのような半導体記憶媒体中に書込まれているときに半導体記憶媒体中のフリーの新しいデータのブロックをサーチし、その後新しいデータのブロック中に書込まれるべきデータを書込み、必要ならば、新しいデータのブロックに対応した論理アドレスを新しいデータのブロック中におそらく記録する。元のデータのブロック中のデータが完全にカバーされていなかった場合には、そのカバーされなかったデータは新しいデータのブロックにコピーされなければならず、その後元のデータのブロックがクリアされる。上述した書込み動作期間中に、必要ならば、データ検索のために種々の異なった書込み状態がマークされる。データ検索は次のパワーアップ時に行われることができる。上記の機能を行う方法はまた以下のように行われることもできる。２．最初に、カバーされたデータが存在する元のデータのブロックを記憶媒体のバッファ中に記憶し、必要ならば元のデータのブロックをクリアし、新しいデータを元のデータのブロック中に書込み、その後元のデータのブロックのカバーされていなかったデータをバッファから元のデータのブロックにコピーする。上記の書込み動作の進行中、必要ならば、データ検索のために種々の書込み状態がマークされる。
【００４４】
記憶媒体がフレッシュ（ｆｌｅｓｈ）メモリであるとき、データのブロックは典型的に、サイズが８ＫＢ（ＫＢ＝Ｋバイト）、１６ＫＢ、３２ＫＢ、６４ＫＢ、１２８ＫＢ、２５６ＫＢ、５１２ＫＢ、１０２４ＫＢ等のフラッシュメモリのブロックである。上述した方法によって得られた内容はスクリーン上に表示される。プロンプト情報記憶領域の内容が変更されたとき、プログラムは、設定または変更される必要のあるユーザによって入力された新しいプロンプト情報を受信し、そのプロンプト情報に対する書込みリクエストおよび書込まれる新しいプロンプト情報を記憶装置に送信し、この装置によって処理された結果を獲得し、その結果をスクリーン上に表示する。
【００４５】
プロンプト情報領域中に記憶されている内容は、文字情報および、またはパターン情報であることができる。プログラムはまた文字情報をパターン情報に変換してそれをプロンプト情報記憶領域中に記憶することが可能である。
【００４６】
本発明の最も好ましい実施形態は、ＵＳＢ機能を備えたマイクロプロセッサ、自己制御機能を備えたＬＣＤ表示モジュール、フラッシュメモリおよびＵＳＢインターフェースを使用するものである。さらに、ＬＣＤ表示モジュールは自己制御機能を備えている必要はなく、その制御機能はマイクロプロセッサによって行われる。本発明はＬＣＤ表示モジュールを設定するのに加えて、ＬＥＤの動作状態を設定することができる。
【００４７】
本発明はさらに、ユーザが記憶装置とデータ処理システムホストとの間の接続を遮断したときでさえ、あるいはデータが記憶装置中に書込まれている最中に突然電力が失われたり、もしくはコンピュータの動作停止が発生したときでさえ、記憶装置中に記憶されているデータが損傷を免れることができ、書込まれているデータの損傷を最小限にすることができるように、データ保護およびデータ検索機能を有するように設計されている。上記の機能を実現する方法は以下のように行われることができる。１．最初に、データがフラッシュメモリのような半導体記憶媒体中に書込まれているときに半導体記憶媒体中のフリーの新しいデータのブロックをサーチし、その後新しいデータのブロックに書込まれるデータを書込み、必要ならば、新しいデータのブロックに対応した論理アドレスを新しいデータのブロック中におそらく記録する。元のデータのブロック中のデータが完全にカバーされていなかった場合、そのカバーされなかったデータは新しいデータのブロックにコピーされなければならず、その後元のデータのブロックがクリアされる。上述した書込み動作期間中、必要ならば、データ検索のために種々の異なる書込み状態がマークされる。データ検索は次のパワーアップ時に行われることができる。上記の機能を行う方法はまた以下のように行われることもできる。２．最初に、カバーされたデータが存在する元のデータのブロックを記憶媒体のバッファ中に記憶し、必要ならば元のデータのブロックをクリアし、新しいデータを元のデータブロック中に書込み、その後元のデータのブロックのカバーされていなかったデータをバッファから元のデータのブロックにコピーする。上記の書込みの進行中、必要ならば、データ検索のために種々の書込み状態がマークされる。
【００４８】
記憶媒体がフレッシュメモリであるとき、データのブロックは典型的に、サイズが８ＫＢ（ＫＢ＝Ｋバイト）、１６ＫＢ、３２ＫＢ、６４ＫＢ、１２８ＫＢ、２５６ＫＢ、５１２ＫＢ、１０２４ＫＢ等のフラッシュメモリのブロックである。上述した方法は、ユーザのデータが損傷をまったく受けないことを保証することができる。
【００４９】
本発明によって参照とされたデータ処理システムには、コンピュータ、ＰＤＡ、移動電話、ＭＰ３、デジタルカメラ、デジタルビデオ、掌サイズの（ｐａｌｍ）装置等が含まれるが、それらに限定されない。
【図面の簡単な説明】
【００５０】
【図１】半導体記憶装置において情報プロンプトを実施する本発明による方法およびその装置の機能モジュール図。
【図２】本発明によるプロンプト情報記憶領域の記憶領域分布図。
【図３】本発明による電源モジュール4のブロック図。
【図４−１】本発明によるプロンプト情報記憶領域を設定するソフトウェアのフローチャート。
【図４−２】本発明によるプロンプト情報記憶領域を設定するソフトウェアのフローチャート。
【図５−１】本発明によるファームウェアの概略フローチャート。
【図５−２】本発明によるファームウェアの概略フローチャート。
【図６】情報プロンプトの手段としてＵＳＢおよび液晶ディスプレイ（ＬＣＤ）を使用する本発明によるハードウェア機能のブロック図。
【図７】情報プロンプトの実施形態として液晶ディスプレイ（ＬＣＤ）を使用する本発明によるプロファイル図。
【図８】本発明による制御装置モジュール1の概略回路図。
【図９】制御装置モジュール1と半導体記憶媒体との間におけるデータラインの２方向レベルの変換を行う本発明による回路の概略回路図。
【図１０】本発明による記憶媒体モジュール3の概略回路図。
【図１１】制御装置モジュール1と半導体記憶媒体との間におけるデータラインの本発明による１方向レベル変換回路の回路図。
【図１２】本発明による電源モジュール4の概略回路図。
【図１３】本発明による液晶ディスプレイ（ＬＣＤ）コンポーネントと制御装置モジュール1との間の回路接続の概略図。
【図１４】本発明による半導体記憶装置の１実施形態のバッテリモジュールの構造図。
【図１】
2005531835.tif 000003
【図２】
2005531835.tif 000004
【図３】
2005531835.tif 000005
【図４−１】
2005531835.tif 000006
【図４−２】
2005531835.tif 000007
【図５−１】
2005531835.tif 000008
【図５−２】
2005531835.tif 000009
【図６】
2005531835.tif 000010
【図７】
2005531835.tif 000011
【図８】
2005531835.tif 000012
【図９】
2005531835.tif 000013
【図１０】
2005531835.tif 000014
【図１１】
2005531835.tif 000015
【図１２】
2005531835.tif 000016
【図１３】
2005531835.tif 000017
【図１４】
2005531835.tif 000018
【手続補正書】
【提出日】平成17年5月18日(2005.5.18)
【手続補正１】
【補正対象書類名】特許請求の範囲
【補正対象項目名】全文
【補正方法】変更
【補正の内容】
【特許請求の範囲】
【請求項１】
制御装置モジュール(1)と、この制御モジュール(1)とそれぞれ電気的に接続されたインターフェースモジュール(2)および半導体記憶媒体モジュール(3)と、電力を供給する電源モジュール(4)とを備えている情報プロンプトを実施する半導体記憶装置において、
半導体記憶媒体モジュール(3)はプロンプト情報を記憶するプロンプト情報記憶領域(32)を備え、制御装置モジュール(1)は情報プロンプトおよびデータアクセスを実施するファームウェアを備え、情報プロンプトモジュール(5)は制御装置モジュール(1)、インターフェースモジュール(2)および半導体記憶媒体モジュール(3)と電気的に接続されていることを特徴とする情報プロンプトを実施する半導体記憶装置。
【請求項２】
ファームウェアは、プロンプト情報記憶領域(32)のパスワード検証をサポートすることを特徴とする求項１記載の半導体記憶装置。
【請求項３】
プロンプト情報記憶領域(32)は独立または汎用ユニバーサル暗号化／解読モジュールを備えており、その暗号化／解読モジュールはプロンプト情報記憶領域(32)中に記憶されるデータを暗号化し、また、プロンプト情報記憶領域(32)から読出されたデータを解読することを特徴とする求項１記載の半導体記憶装置。
【請求項４】
インターフェースモジュール(2)は、ＵＳＢインターフェース、ＩＥＥＥ１３９４インターフェース、ブルートゥースインターフェース、ＩｒＤＡ赤外線インターフェース、ホームＲＦインターフェース、ＩＥＥＥ８０２．１１ａインターフェース、ＩＥＥＥ８０２．１１ｂインターフェース、有線の広域／構内ネットワークインターフェースおよび無線の広域／構内ネットワークインターフェースであるの１つであることを特徴とする求項１記載の半導体記憶装置。
【請求項５】
半導体記憶媒体モジュール(3)において使用される媒体は、フラッシュメモリ、ＤＲＡＭ、ＥＥＰＲＯＭ、ＳＲＡＭ、ＦＲＡＭ、ＭＲＡＭまたはミリピード（Ｍｉｌｌｉｐｅｄｅ）であることを特徴とする求項１記載の半導体記憶装置。
【請求項６】
情報プロンプトモジュール(5)は少なくとも表示コンポーネント、音響コンポーネントおよび振動コンポーネントの１つを備えていることを特徴とする請求項１記載の半導体記憶装置。
【請求項７】
表示コンポーネントは液晶ディスプレイ、発光ダイオードマトリックスディスプレイ、電界放射ディスプレイまたは有機エレクトロルミネセンス（ＯＥＬ）ディスプレイであり、音響発生コンポーネントはスピーカ、ブザーまたは結晶音響発生器であることを特徴とする請求項６記載の半導体記憶装置。
【請求項８】
電源モジュール(4)は電圧アダプタ回路および自蔵電源の少なくとも１つを備えており、自蔵電源は、ＰＶ電池、一次単電池および再充電可能な電池の１つであり、電源制御スイッチが自蔵電源内に設けられていることを特徴とする請求項１記載の半導体記憶装置。
【請求項９】
さらに、情報プロンプトを設定する手動制御コンポーネント(53)を備えており、このコンポーネントは情報プロンプトの手動制御を行うために使用されることを特徴とする請求項１記載の半導体記憶装置。
【請求項１０】
制御装置モジュール(1)と、この制御モジュール(1)とそれぞれ電気的に接続されたインターフェースモジュール(2)および半導体記憶媒体モジュール(3)と、電力を供給する電源モジュール(4)とを備えており、情報プロンプトモジュール(5)が制御モジュール(1)、インターフェースモジュール(2)および半導体記憶媒体モジュール(3)と電気的に接続されている半導体記憶装置において情報プロンプトを実施する方法において、
（１）プロンプト情報を記憶するプロンプト情報記憶領域(32)を半導体記憶媒体モジュール(3)中に設け、
（２）プロンプト情報記憶領域(32)のデータアクセス動作および情報プロンプトを実施するファームウェアを制御装置モジュール(1)内に設け、
（３）ファームウェアが予め定められた設定にしたがってプロンプト情報記憶領域(32)のパスワードを検査し、その後必要なプロンプト情報をプロンプト情報記憶領域(32)から獲得し、
（４）獲得されたプロンプト情報の内容に基づいて、ファームウェアが情報プロンプトを行うように情報プロンプトモジュール(5)を制御するステップを含んでいることを特徴とする情報プロンプトを実施する方法。
【請求項１１】
ファームウェアが予め定められた設定にしたがってプロンプト情報記憶領域(32)のパスワードを検査し、必要なプロンプト情報をプロンプト情報記憶領域(32)中に書込むステップをさらに含んでいることを特徴とする請求項１０記載の情報プロンプトを実施する方法。
【請求項１２】
情報プロンプトモジュール(5)の動作モードおよびプロンプト情報記憶領域(32)中に記憶されているプロンプト情報は、データ処理システム中で動作する情報プロンプト記憶領域設定ソフトウェアによって規定され、修正されることを特徴とする請求項１０記載の情報プロンプトを実施する方法。
【請求項１３】
プロンプト情報は静的情報および動的情報を含んでおり、静的情報はユーザの情報、装置情報および記憶情報を含んでいることを特徴とする請求項１０乃至１２のいずれか１記載の情報プロンプトを実施する方法。
【請求項１４】
プロンプト情報記憶領域(32)は独立またはユニバーサル暗号化／解読モジュールを備えており、その暗号化／解読モジュールはプロンプト情報記憶領域(32)中に記憶されるデータを暗号化し、また、プロンプト情報記憶領域(32)から読出されたデータを解読することを特徴とする請求項１０記載の情報プロンプトを実施する方法。
【国際調査報告】
2005531835.tif 000019
2005531835.tif 000020
2005531835.tif 000021
2005531835.tif 000022